(57)【要約】【課題】従来のマッサ−ジ器具は、動力源にモ−タや電気磁石等を使用する為に形状が大きく質量も重い為に、所定のマッサ−ジ部位にベルト等で装着してマッサ−ジする事が困難である不都合を解決する為に、マッサ−ジ器具の小形軽量化を図る。【解決手段】本発明のマッサ−ジ器具は、動力源とマッサ−ジ作業を分担する発振器２に分離して、動力源に空気ポンプ１を用いて空気ポンプにより発生させる断続空気をホ−ス３で発振器に供給する。発振器はプラスチック柔軟材よりなる振動子２０を有し、その振動子はロ−ト形状で外縁２０ａと装着面２３との間に、外気と遮断する空間部２４を形成する。その空間部に断続空気を噴出させて断続空気の空気振動により、マッサ−ジ効果を発生させる事でマッサ−ジ器具の小形軽量化を図る。【選択図】  図１
2006297003.tif 000002
【特許請求の範囲】
【請求項１】
動力源に空気ポンプを用いて、空気ポンプにより発生させる断続空気をホ−スで発振器に供給し、発振器で振動子とマッサ−ジ部位の装着面との間に外気と遮断する空間部を形成させ、その空間部に断続空気を直接噴出させて空気振動によりマッサ−ジ効果を発生させることを特徴とするマッサ−ジ器具。
【請求項２】
前記発振器は、振動子をスリ−ブで保持してスリ−ブをガイドとベ−スに嵌合して可動する構成としたスリ−ブを、スプリングでベ−ス上部に圧接した形態の時に、振動子の外縁がベ−ス下部より凸位置になる構成の振動子を備える請求項１記載のマッサ−ジ器具。
【請求項３】
前記発振器の振動子は、柔軟材で製作して中央空気穴出口部が外縁より凹位置で、空気穴出口部から外縁に繋がる凹溝を設けてなる請求項１又は２記載のマッサ−ジ器具。
【発明の詳細な説明】
【技術分野】
【０００１】  本発明は、小形化を図ったマッサ−ジ器具に関する。
【背景技術】
【０００２】  従来のマッサ−ジ器具は動力源に、モ−タの回転力を利用する構成や、電気磁石の吸引力とスプリングの反撥力を組み合わせる構成を、マッサ−ジ器具の動力源とするものである。【０００３】  以下、図３、図４、図５の概略図により従来のマッサ−ジ器具の動力源の構成について説明する。図３に於いて、４０はモ−タ本体で有りモ−タ軸４１には偏芯カム４２を固定している。モ−タ軸の回転により、偏芯カムの外周が偏芯運動する事でマッサ−ジ作業する構成である。【０００４】  図４に於いて、４３はア−ムであり支点４４を支持して一端を偏芯カム４５の外周に接触させ、モ−タ軸４６の回転によりア−ムの他の一端を往復運動させて、マッサ−ジ作業する構成である。【０００５】  図５に於いて、４７は電気磁石でありスプリング４８を挟んで、振動板４９を設置している。電流のＯＮで電気磁石の吸引力により振動板を吸着して、電流のＯＦＦでスプリングの反撥力で振動板を元の位置に戻す。このＯＮ、ＯＦＦを繰り返す事で振動板を振動させてマッサ−ジ作業する構成である。
【発明の開示】
【発明が解決しようとする課題】
【０００６】  以上に述べた従来のマッサ−ジ器具では、動力源となるモ−タや電気磁石とバネと振動板を組み合わせた構成では、形状が大きくなり又質量も重いものであるので、マッサ−ジ部位にベルト等で装着する事が困難であった。。【０００７】  本発明は、このような従来の構成が有している問題を解決するものであり、マッサ−ジ器具の小形軽量化を実現して、所定のマッサ−ジ部位に容易に装着出来る事を可能とするマッサ−ジ器具を目的とする。
【課題を解決するための手段】
【０００８】  本発明に係るマッサ−ジ器具は、上記目的を達成する為に動力源とマッサ−ジ作業を分担する発振器に分離して、動力源に空気ポンプを用いて空気ポンプにより発生させる断続空気をホ−スで発振器に供給して、発振器で断続空気の空気振動によりマッサ−ジ効果を発生させる構成を特徴とする。【０００９】  さらに発振器では、柔軟材よりなる振動子をスリ−ブで保持して、スリ−ブをガイドとベ−スに嵌合して振動子が可動する構成としたスリ−ブを、スプリングでベ−ス上部面に圧接する。この形態で振動子の外縁がベ−ス下部面より凸位置となる構成を特徴とするものである。【００１０】  さらに振動子は、中央空気出口部を外縁より凹位置にして、空気出口部と装着面との間に外気と遮断する空間部を形成した形状とする。さらに空気出口部から外縁に繋がる凹溝を設ける。これらの形状を特徴とするものである。
【発明の効果】
【００１１】  本発明のマッサ−ジ器具は、動力源の空気ポンプとマッサ−ジ作業を発生させる発振器を分離する事で、マッサ−ジ作業部の発振器の小形軽量化を可能とすることができる。【００１２】  さらに発振器の振動子の外縁が、ベ−ス下部面より凸位置である構成なので湾曲した装着面でも、振動子が可動してスプリング力で圧接させる事で外縁を装着面に密着させる事ができる。【００１３】  さらに振動子は、柔軟材で製作しているので不規則な装着面に対しても外縁の密着性が良好であり、振動子と装着面との間に形成する空間部の外気との遮断性が良好で、噴出させる断続空気のマッサ−ジ効果を効率よく発生させることができる。【００１４】  さらに中央空気出口部から外縁に繋がる凹溝を設けた事で、空間部に噴出させた空気をスム−ズに外気中に排出する事で、外縁の振動を防ぎマッサ−ジ部位に優しい空気振動を得る事ができる。【００１５】  上述したように本発明のマッサ−ジ器具は、動力源に空気振動を使用しているのでマッサ−ジ部位に優しく、また発振器の小形軽量化の実現により湾曲した面や不規則な装着面に、ベルト等で装着してマッサ−ジする事が出来るものである。
【発明を実施するための最良の形態】
【００１６】  以下、本発明の最良の形態を図１〜図２に基づいて説明する。【００１７】  図１は、本発明のマッサ−ジ器具の構成図で、１は動力源の空気ポンプであり一般市販のプランジャ−ポンプやダイヤフラムポンプ等の、低圧で小量の断続空気を発生させる小型空気ポンプを用いたものである。市販の空気ポンプとタイマ−を一体化して、さらに空気ポンプから発生する電磁気の漏洩を防止する為に磁気遮断カバ−を備える。【００１８】  図１の発振器２は、中央下部に振動子２０を備えてその両側に樹脂成形品からなるベ−ス２１があり、そのベ−ス両端に締結したベルト２２で発振器を身体の所定の位置に装着して、ホ−ス３により空気ポンプで発生させる断続空気を発振器に供給する。【００１９】  図２は、発振器の断面図である。中央下部に備えた振動子２０は、振動子と装着面２３との間に外気と遮断した空間部２４を形成する為にロ−ト形状であり、また外縁２０ａと不規則な装着面との間の遮断性を良好なものとする為に、プラスチック柔軟材からなる振動子である。【００２０】  さらに中央にある空気穴出口２０ｂ部から外縁に繋がる凹溝２０ｃを設けて、空気穴出口から断続空気を空間部に噴出してマッサ−ジ効果を発生させた後、凹溝から断続空気を外気中にスム−ズに排出することで、外縁と装着面との間に断続空気排出による微振動の発生を軽減する。【００２１】  図２のガイド２５は、真鍮棒材又はアルミ棒材から旋削加工で成形するものであって、上部ガイド２５ａと下部ガイド２５ｂとからなる段付円筒体である。上部ガイド２５ａは内径にホ−ス３を嵌挿する寸法、外径を上部ケ−ス２８ａ内径に圧入する寸法に、下部ガイド２５ｂは内径に上部スリ−ブ２６ａを嵌合する寸法、外径にスプリング２７を挿入する寸法にする。そしてこのガイドを樹脂成形品からなるケ−スの上部２８ａ内径に圧入接着してガイドとケ−スを一体化部品とする。【００２２】  図２のスリ−ブ２６は、アルミ棒材から旋削加工で成形するものであって、上部スリ−ブ２６ａと下部スリ−ブ２６ｂと、さらに下部スリ−ブ外径中央部に上側をスプリング２７挿入のストッパ−とする、下側をベ−ス２１内穴との嵌合部の位置決めとする兼用の凸リング部２６ｃを設けた段付円筒体である。上部スリ−ブ２６ａは内径をガイド内径から繋がる断続空気通過穴寸法、外径を下部ガイド内径に嵌合する寸法、下部スリ−ブ２６ｂは内径に振動子２０のボス外径を圧入する寸法、外径をベ−ス２１内穴に嵌合する寸法にする。【００２３】  前記ガイドとケ−スの一体化部品の下部ガイド２５ｂの外径にスプリング２７を挿入して、それに下部ガイドの内径に上部スリ−ブ２６ａを嵌合することで、スプリングは下部ガイドと下部スリ−ブ上側の外径に挿入して凸リング部２６ｃ上側により挟み込む形態となる。【００２４】  さらに下部スリ−ブ２６ｂ外径と下部ケ−ス２８ｂ内径に、ベ−ス２１を嵌合してビス２９でケ−スとベ−スを固定する。これでスリ−ブ２６は下部ガイド内径とベ−ス内穴に嵌合して上下に可動する形態となり、スプリング力でスリ−ブ凸リング部２６ｃ下側がベ−ス上部面２１ａに圧接する。さらに下部スリ−ブの内径に振動子のボス外径を圧入すれば、振動子の外縁２０ａはベ−ス下部面２１ｂより凸位置となる形態である。そしてガイド２５ａの内径に空気ポンプ１に繋がるホ−ス３を嵌挿する。【００２５】  上記構成を説明する。ベルト２２で発振器２を所定のマッサ−ジ部位に装着すれば、スリ−ブに固定した振動子２０の外縁２０ａはベ−ス下部面２１ｂより凸位置になっているので、装着面２３に押されてベ−ス下部面と同位置まで移動する。この移動でスリ−ブ外径とガイド外径に挿入したスプリング２７が圧縮されることにより、スリ−ブに下向のスプリングの反撥力が係り、スリ−ブに固定した振動子の外縁を装着面に圧接する。これで振動子の外縁は柔軟性があるので、不規則な装着面であっても倣って空間部２４の外気との遮断性を良好なものとする。この形態の発振器に空気ポンプ１で発生させた断続空気をホ−ス３で供給して、振動子の空気穴出口２０ｂより外気と遮断した空間部に噴出させることで、断続空気による空気振動を発生させて空間部の片面を形成する装着面及びその周辺にマッサ−ジ効果を得る。
【図面の簡単な説明】
【００２６】
【図１】本発明の実施形態を示す図
【図２】同発振器の断面図
【図３】従来のマッサ−ジ器具の偏芯カム構成の概略図
【図４】同ア−ム構成の概略図
【図５】同電気磁石とバネ構成の概略図
【符号の説明】
【００２７】  １        空気ポンプ
２        発振器
３        ホ−ス
２０      振動子
２０ａ    外縁
２０ｂ    空気穴出口
２０ｃ    凹溝
２１      ベ−ス
２１ａ    ベ−ス上部面
２１ｂ    ベ−ス下部面
２２      ベルト
２３      装着面
２４      空間部
２５      ガイド
２５ａ    上部ガイド
２５ｂ    下部ガイド
２６      スリ−ブ
２６ａ    上部スリ−ブ
２６ｂ    下部スリ−ブ
２６ｃ    凸リング部
２７      スプリング
２８      ケ−ス
２８ａ    上部ケ−ス
２８ｂ    下部ケ−ス
２９      ビス
【図１】
2006297003.tif 000003
【図２】
2006297003.tif 000004
【図３】
2006297003.tif 000005
【図４】
2006297003.tif 000006
【図５】
2006297003.tif 000007